(57)【要約】【課題】  ストラップを付け替えることなく、肩ストラップにも、ホルターネック状の頚ストラップにもできるブラジャーを提供すること。【解決手段】  左右の乳房部１の上端にそれぞれストラップ４の一端を取り付け、ストラップ４の他端を、互いに係止可能とすると共に、背部バンド３の上端に係止可能としてある。ストラップ４を、乳房部１の上端に一端を取り付けた前部ストラップ７と、背部バンド３に着脱可能に取り付けた長さ調節可能な背部ストラップ８とに分割し、前部ストラップ７の他端部どうしを係止可能としても良い。【選択図】          図１
0003114618.tif 000002
【実用新案登録請求の範囲】
【請求項１】
左右の乳房部の上端にそれぞれストラップの一端を取り付けたブラジャーにおいて、前記左右のストラップの他端を、互いに係止可能とすると共に、背部バンドの上端に係止可能としたことを特徴とするブラジャー。
【請求項２】
前記左右のストラップを、前記乳房部の上端に一端を取り付けた前部ストラップと、前記背部バンドに着脱可能に取り付けた長さ調節可能な背部ストラップとに分割し、左右の前部ストラップの他端部どうしを係止可能とした請求項１に記載のブラジャー。
【請求項３】
前記背部バンドの上端の背部中央寄り及び脇寄りに、前記ストラップの他端を係止可能な留め具をそれぞれ装着した請求項１又は２に記載のブラジャー。
【請求項４】
前記ストラップの表面にそれぞれ装飾部材を摺動可能に装着した請求項１〜３のいずれかに記載のブラジャー。
【請求項５】
前記ストラップの一端を前記乳房部の上端に対して着脱自在とした請求項１〜４のいずれかに記載のブラジャー。
【考案の詳細な説明】
【技術分野】
【０００１】
本考案はブラジャーに関する。
【背景技術】
【０００２】
ブラジャーのストラップは外衣の内側に隠すのが普通であるが、近年、襟刳りの大きい衣服を着用した場合に、装飾の施されたストラップを露出させたり、頚に掛けるホルターネック状の紐を露出させることがファッションとして定着しつつある。
また、従来、上縁の前部中央及び左右の前後に装飾用結合具を取り付けた下着本体と、装飾用結合具のいずれか１つ又は複数個と結合できる連結部を持ち、適宜装飾或いは彩色が施された複数の肩又は首掛け紐とから成り、下着本体と肩又は首掛け紐を適宜組み合わせて用いる外部に肩紐を出して着用する下着が知られている（特許文献１参照）。
しかし、この下着は、複数種類の紐を用意しておき、スタイルを変えるたびに紐を付け替えなければならなかった。
【０００３】
【特許文献１】実開平５−６２５１４号公報
【考案の開示】
【考案が解決しようとする課題】
【０００４】
ストラップを付け替えることなく、肩ストラップにも、ホルターネック状の頚ストラップにもできるブラジャーを提供することにある。
【課題を解決するための手段】
【０００５】
本考案のブラジャーは、左右の乳房部の上端にそれぞれストラップの一端を取り付けて成り、前記左右のストラップの他端を、互いに係止可能とすると共に、背部バンドの上端に係止可能としてある。
ストラップの他端を背部バンドの上端に係止すると肩ストラップとなり、ストラップの他端どうしを係止すると頚ストラップになる。
【０００６】
以下の構成を採用しても良い。
前記左右のストラップを、前記乳房部の上端に一端を取り付けた前部ストラップと、前記背部バンドに着脱可能に取り付けた長さ調節可能な背部ストラップとに分割し、左右の前部ストラップの他端部どうしを係止可能とした構成。
前記背部バンドの上端の背部中央寄り及び脇寄りに、前記ストラップの他端を係止可能な留め具をそれぞれ装着した構成。
前記ストラップの表面にそれぞれ装飾部材を摺動可能に装着した構成。
前記ストラップの一端を前記乳房部の上端に対して着脱自在とした構成。
【考案の効果】
【０００７】
請求項１に係る考案によれば、同じストラップを付け替えることなく用いて、その他端を背部バンドの上端に係止して肩ストラップとすることも、他端どうしを係止して頚に掛ける頚ストラップとすることもでき、全く趣の異なる二通りのスタイルを楽しむことが可能である。
請求項２に係る考案によれば、ホルターネック状の頚ストラップとした時に、背部ストラップを取り外すだけで済み、前部ストラップの長さを調節する必要がないため、操作が簡単で、衣服から露出しても体裁がよい。
【０００８】
請求項３に係る考案によれば、背部が大きくあいた外衣を着用したとき、ストラップの他端を脇寄りの留め具に係止することにより、肩ストラップが外衣からはみ出して見えるのを防ぐことができる。
請求項４に係る考案によれば、ストラップの他端どうしを係止してホルターネック状に頚に掛けた時、ストラップどうしの係止部分を装飾部材で隠すことができる。
請求項５に係る考案によれば、ストラップを取り外して着用することが可能となる。
【考案を実施するための最良の形態】
【０００９】
図１〜図３は、本考案の実施例１を示し、図１は、ブラジャーの斜視図、図２は、第１の使用例を示す斜視図、図３は、第２の使用例を示す斜視図である。
ブラジャーは、左右の乳房部１と、乳房部１の下部に取り付けた左右の土台部２と、左右の土台部２の外側縁間を連結する背部バンド３と、一端が左右の乳房部１の上端にそれぞれ取り付けられた左右のストラップ４を備える。
左右の乳房部１の上端には、ストラップ４の一端を係止するための第１のループ５が装着されている。
【００１０】
左右の土台部２の内側縁には、着脱可能に係止されると共に、土台部２間の間隔を調節可能な連結具６が装着され、連結具６を外すと左右の土台部２を分離することができ、連結具６を操作して土台部２間の間隔を狭めると、左右の乳房部１が接近して寄せ上げ効果が高まるようになっている。
なお、土台部２間が接合・分離可能なので、背部バンド３は１本に連続した伸縮布によって形成されている。
以上に説明したストラップ４を除いた部分の構造は、従来公知である。
【００１１】
左右のストラップ４は、乳房部１の上端に取り付けた前部ストラップ７と、背部バンド３の上端に取り付けた背部ストラップ８とに分割される。
前部ストラップ８は２本の伸縮紐９を並設して成り、その一端に、乳房部１に装着した第１のループ５へ着脱自在に係止される第１のフック１０がそれぞれ装着される。
また、左右の前部ストラップ７の内、一方の他端には第２のループ１１が装着され、他方の他端には、第２のループ１１へ着脱自在に係止される第２のフック１２が装着されている。
【００１２】
さらに、左右の前部ストラップ７の表面には、それぞれ装飾部材１３が摺動可能に取り付けられる。装飾部材１３は、花、動物、星等の適宜形状に形成した装飾部の裏面に、短いゴム紐の両端を止め付けて成り、ゴム紐と装飾部との間に前部ストラップ７を挿通してある。
なお、装飾部材１３の装飾部には、刺繍を施したり、ラインストーンを装着するなど、適宜手段により装飾を施してある。
【００１３】
背部ストラップ８は、伸縮可能であるが、前部ストラップ７の伸縮紐９より伸縮性が小さい帯紐より成り、それぞれバックル状部材１４が摺動可能に装着されている。
左右の背部ストラップ８の内、一方の一端には、一方の前部ストラップ７に装着された第２のループ１１と着脱自在に係止する第３のフック１５が取り付けられ、他方の一端には、他方の前部ストラップ７に装着された第２のフック１２と着脱自在に係止する第３のループ１６が取り付けられている。
【００１４】
背部ストラップ８の他端は折り返してバックル状部材１４に止め付けられ、他端に形成された折り返し部に第４のフック１７がそれぞれ装着される。これら第４のフック１７は、背部バンド３の上端の左右両側寄りに装着された留め具である第４のループ１８へ着脱自在に係止される。
また、バックル状部材１４の位置を移動し、折り返して二重に重ねた部分の長さを変えることにより、背部ストラップ８の長さを適宜調節することができる。
【００１５】
このストラップ４を肩ストラップとする場合は、図２に示すように、一方の前部ストラップ７に装着された第２のループ１１へ、一方の背部ストラップ８に取り付けられた第３のフック１５を係止すると共に、他方の前部ストラップ７に装着された第２のフック１２へ、他方の背部ストラップ８に取り付けられた第３のループ１６を係止して、前部ストラップ７と背部ストラップ８とを連結する。
そして、前部ストラップ７の第１のフック１０を乳房部１の第１のループ５へ係止し、背部ストラップ８の第４のフック１７を背部バンド３の第４のループ１８へ係止する。
【００１６】
一方、ストラップ４をホルターネック状に頚へ掛ける場合には、図３に示すように、前部ストラップ７と背部ストラップ８とを分割して、背部ストラップ８を背部バンド３から取り外し、左右の前部バンド７を頚の後ろに廻して、第２のループ１１と第２のフック１２とを係止する。
そして、装飾部材１３を移動させて、第２のループ１１及び第２のフック１２を隠す。
なお、前部ストラップ７及び背部ストラップ８をいずれも取り外して、ストラップレスのブラジャーとして着用することも可能である。
【００１７】
図４は、本考案の実施例２を示すブラジャーの斜視図である。
背部バンド３の上端の左右両側において、背部中央寄りに装着された第４のループ１８よりも脇寄りに、それぞれ留め具となる補助ループ１９及び補助フック２０が装着されている。
背部が広くあいた衣服を着用する場合には、前部ストラップ７と背部ストラップ８とを分割して、背部ストラップ８を取り外し、一方の前部ストラップ７に取り付けられた第２のループ１１を補助フック２０へ係止し、他方の前部ストラップ７に取り付けられた第２のフック１２を補助ループ１９へ係止する。
その他の構成及び使用方法は、実施例１とほぼ同様なので、同一部分に同一符号を付して詳細な説明を省略する。
【００１８】
なお、実施例１及び実施例２では、ストラップ４を前部ストラップ７と背部ストラップ８とに分割し、背部ストラップ８のみを長さ調節可能としたが、ストラップ４を連続した１本の長さ調節可能な伸縮帯とすることもできる。この場合、ストラップ４を背部バンド３の中央寄り留め具に係止した通常の肩ストラップとした時に比べて、頚に掛ける頚ストラップとした時、及び脇寄りの留め具に係止した時は、必要とする長さが非常に短いので、長さ調節量を大きくしておかなければならない。
また、背部バンド３をその中央部で分離可能とし、左右の土台部２を一体に形成した後ろ開きタイプのブラジャーとすることも可能である。
【図面の簡単な説明】
【００１９】
【図１】実施例１を示すブラジャーの斜視図。
【図２】実施例１に係るブラジャーの第１の使用例を示す斜視図。
【図３】実施例１に係るブラジャーの第２の使用例を示す斜視図。
【図４】実施例２に係るブラジャーの使用例を示す斜視図。
【符号の説明】
【００２０】
１  乳房部
２  土台部
３  背部バンド
４  ストラップ
５  第１のループ
６  連結具
７  前部ストラップ
８  背部ストラップ
９  伸縮紐
１０  第１のフック
１１  第２のループ
１２  第２のフック
１３  装飾部材
１４  バックル状部材
１５  第３のフック
１６  第３のループ
１７  第４のフック
１８  第４のループ
１９  補助ループ
２０  補助フック
【図１】
0003114618.tif 000003
【図２】
0003114618.tif 000004
【図３】
0003114618.tif 000005
【図４】
0003114618.tif 000006